(57)【特許請求の範囲】
【請求項１】
第１の対象をプレゼンテーションする照明装置であって、
少なくとも１つのアクセント光特性を有し、少なくとも１つのアクセント発光デバイスを有し、前記第１の対象を照明するように構成されたアクセント照明装置と、
少なくとも１つの装飾光特性を有し、少なくとも１つの装飾発光デバイスを有し、前記第１の対象を背景照明するように構成された装飾照明装置と、
複数のセンサであって、該複数のセンサの各々が、当該センサと第２の対象との間の距離を検出し、前記距離を表す信号値を発生するように構成された前記複数のセンサと、
前記複数のセンサの各々から前記信号値を受け取り、前記信号値に基づき、前記アクセント光特性と前記装飾光特性を調節するように構成されたコントローラと、を有し、
前記コントローラは、
前記第１の対象に最も近い第２の対象に適した前記アクセント光特性と前記装飾光特性に調節するために、前記信号値のうち最小の距離を表す信号値に基づき、前記アクセント光特性と前記装飾光特性を調節する、
照明装置。
【請求項２】
前記アクセント光特性は、ヒュー、サチュレーション、照明方向、ビームアングル、照明パターン、及び光ダイナミクス、のうち少なくとも１つを有する、
請求項１に記載の照明装置。
【請求項３】
前記装飾光特性は、強さ、ヒュー、サチュレーション、照明方向、照明エリア、照明パターン、及び光ダイナミクス、のうち少なくとも１つを有する、
請求項２に記載の照明装置。
【請求項４】
前記少なくとも１つのアクセント発光デバイスは、ランプ、スポットライト、発光ダイオード（ＬＥＤ）、ハロゲンランプ、蛍光灯、及び白熱灯のうちの少なくとも１つを有する、請求項１に記載の照明装置。
【請求項５】
前記少なくとも１つの装飾発光デバイスは、発光ダイオード（ＬＥＤ）ディスプレイ、スポットライト、ランプ、プラズマスクリーン、ＲＧＢ照明エレメント、ＬＥＤパネル、ピクセル状ＬＥＤパネル、光ガイド、電子ディスプレイ、液晶ディスプレイ（ＬＣＤ）スクリーン、３次元（３Ｄ）ディスプレイ、及びＬＣＤプロジェクションのうちの少なくとも１つを有する、
請求項１に記載の照明装置。
【請求項６】
前記コントローラは、
前記信号値を閾値と比較し、
前記信号値が前記閾値より大きくなければ、前記アクセント光特性と前記装飾光特性を第１の所定設定に設定し、
前記信号値が前記閾値より大きければ、前記アクセント光特性と前記装飾光特性を第２の所定設定に設定するように構成された、
請求項１に記載の照明装置。
【請求項７】
前記少なくとも１つのセンサは、
前記第２の対象の動き及び／または温度を検出し、
前記動き及び／または温度の検出に基づいて前記距離を表す信号値を発生する、
請求項１に記載の照明装置。
【請求項８】
前記少なくとも１つのセンサは、
前記動き及び／または温度の検出が前記第２の対象が人間であると示す場合にのみ、前記距離を表す信号値を発生する、
請求項７に記載の照明装置。
【請求項９】
前記コントローラは、
前記信号値を第１と第２の閾値と比較し、
前記信号値が前記第１と第２の閾値より大きくなければ、前記アクセント光特性と前記装飾光特性を第１の所定設定に設定し、
前記信号値が前記第１と第２の閾値より大きければ、前記アクセント光特性と前記装飾光特性を第２の所定設定に設定し、
前記信号値が前記第１の閾値より大きく、前記第２の閾値より大きくなければ、前記アクセント光特性と前記装飾光特性を第３の設定に設定し、前記第３の設定は前記信号値の関数であり、前記関数は、前記信号値が前記第１の閾値から前記第２の閾値に徐々に変わるとき、前記第３の設定が前記第１の所定の設定から前記第２の所定の設定に徐々に変わるものである、
請求項１に記載の照明装置。
【請求項１０】
アクセント照明装置及び装飾照明装置を含み、第１の対象をプレゼンテーションするための照明装置の制御方法であって、
前記照明装置が含む複数のセンサの各々が、前記センサと第２の対象との間の距離を検出することと、
前記複数のセンサの各々が、前記距離を表す信号値を発生することと、
前記照明装置のコントローラが、前記複数のセンサの各々から前記信号値を受け取ることと、
前記コントローラが、前記信号値のうち最小の前記距離を表す信号値に基づき、少なくとも１つの制御信号を生成し、前記少なくとも１つの制御信号により、前記第１の対象を照明する少なくとも１つのアクセント発光デバイスを有する前記アクセント照明装置のアクセント光特性、及び前記第１の対象を背景照明する少なくとも１つの装飾発光デバイスを有する前記装飾照明装置の装飾光特性を、前記第１の対象に最も近い第２の対象に適するように調節することと、を含む
方法。
【請求項１１】
前記コントローラは、前記信号値に基づき、前記アクセント光特性と前記装飾光特性を、距離に合わせて徐々に調節するように構成された、請求項１に記載の照明装置。
【発明の詳細な説明】
【技術分野】
【０００１】
本発明は、概して照明装置の技術分野に関し、またかかる装置の使用と制御に関する。より具体的には照明装置に関し、またかかる装置の使用と制御に関する。
【背景技術】
【０００２】
例えば、顧客や潜在的バイヤーに対して製品を展示するとき、製品自体に直接的に関連していないパラメータにより、製品展示に関連する視覚的な効果が生じることがある。例えば、背景色や背景パターンにより製品自体の色がよく見え、製品がその環境の中で際だつ。他の一例として、ある波長の光や製品に対してある角度で入射する光は、製品ディスプレイ効果も生じる。
【０００３】
製品展示に関する問題は、製品から遠い人をディスプレイに引きつけるのに最適なパラメータ設定は、必ずしも近い人に製品を展示するのに最適ではなく、その逆も言えることである。
【０００４】
それゆえ、製品展示のため、より良く、よりダイナミックな照明装置（すなわちシステム）が必要である。
【発明の概要】
【発明が解決しようとする課題】
【０００５】
本発明の目的は、上記の不都合の少なくとも一部を緩和し、製品プレゼンテーションのための改善された、より動的な照明装置を提供することである。従って、本発明の実施形態は、好ましくは従来技術の上記の欠点のうち１つ以上を単体または組み合わせとして軽減または除去し、添付した請求項に記載した製品プレゼンテーション用の照明装置と対応する使用、方法、及びコンピュータプログラム製品を提供することにより少なくとも上記の問題の一部を解決することを目的とする。
【０００６】
本発明の第１の態様によれば、この目的は、第１の対象をプレゼンテーションする照明装置であって、アクセント照明装置、装飾照明装置、少なくとも１つのセンサ、及びコントローラを有する照明装置により達成される。アクセント照明装置は、少なくとも１つのアクセント光特性を有し、少なくとも１つのアクセント発光デバイスを有し、第１の対象を照明するように構成される。装飾照明装置は、少なくとも１つの装飾光特性を有し、少なくとも１つの装飾発光デバイスを有し、第１の対象を背景照明するように構成される。少なくとも１つのセンサは、センサと第２の対象との間の距離を検出し、その距離を表す信号値を発生するように構成され、コントローラは、少なくとも１つのセンサから信号値を受け取り、その信号値に基づきアクセント光特性と装飾光特性を調節するように構成される。
【０００７】
アクセント光特性は、ある実施形態では、ヒュー、サチュレーション、照明方向、ビームアングル、照明パターン、及び光ダイナミクスのうちの少なくとも１つを有する。
【０００８】
装飾光特性は、ある実施形態では、強さ、ヒュー、サチュレーション、照明方向、照明エリア、照明パターン、及び光ダイナミクスのうちの少なくとも１つを有する。
【０００９】
ある実施形態では、少なくとも１つのアクセント発光デバイスは、ランプ、スポットライト、発光ダイオード（ＬＥＤ）、ハロゲンランプ、蛍光灯、及び白熱灯のうちの少なくとも１つを有する。
【００１０】
ある実施形態では、少なくとも１つの装飾発光デバイスは、発光ダイオード（ＬＥＤ）ディスプレイ、スポットライト、ランプ、プラズマスクリーン、ＲＧＢ照明エレメント、ＬＥＤパネル、ピクセル状ＬＥＤパネル、光ガイド、電子ディスプレイ、液晶ディスプレイ（ＬＣＤ）スクリーン、３次元（３Ｄ）ディスプレイ、及びＬＣＤプロジェクションのうちの少なくとも１つを有する。
【００１１】
照明装置は、ある実施形態では、複数のセンサを有する。かかる実施形態では、コントローラは、複数のセンサの各々から信号値を受け取り、その信号値のうちの選択した信号値に基づいてアクセント光特性と装飾光特性を調節するように構成されている。ある実施形態では、コントローラは、最小の距離を表す信号値に基づき、前記アクセント光特性と前記装飾光特性を調節するように構成される。
【００１２】
ある実施形態では、コントローラは、信号値と閾値を比較するように構成される。前記信号値が前記閾値より大きくなければ、コントローラは、前記アクセント光特性と前記装飾光特性を第１の所定設定に設定し、前記信号値が前記閾値より大きければ、コントローラは、前記アクセント光特性と前記装飾光特性を第２の所定設定に設定するように構成される。
【００１３】
ある実施形態によれば、前記少なくとも１つのセンサは、前記第２の対象の動き及び／または温度を検出し、前記動き及び／または温度の検出に基づいて前記距離を表す信号値を発生するように構成される。ある実施形態では、前記動き及び／または温度の検出が前記第２の対象が人間であると示す場合にのみ、前記距離を表す信号値を発生する。
【００１４】
ある実施形態では、コントローラは、信号値と第１と第２の閾値を比較するように構成される。前記信号値が前記第１と第２の閾値より大きくなければ、コントローラは、前記アクセント光特性と前記装飾光特性を第１の所定設定に設定する。前記信号値が前記第１と第２の閾値より大きければ、コントローラは、前記アクセント光特性と前記装飾光特性を第２の所定設定に設定する。前記信号値が前記第１の閾値より大きく、前記第２の閾値より大きくなければ、コントローラは、前記アクセント光特性と前記装飾光特性を第３の設定に設定する。前記第３の設定は前記信号値の関数であり、前記関数は、前記信号値が前記第１の閾値から前記第２の閾値に徐々に変わるとき、前記第３の設定が前記第１の所定の設定から前記第２の所定の設定に徐々に変わるものである。
【００１５】
本発明の第２の態様は、第１の対象のプレゼンテーションをする、第１の態様の照明装置の使用である。
【００１６】
本発明の第３の態様は、第１の対象のプレゼンテーションをする照明装置の制御方法である。この方法は、（前記照明装置のセンサにおいて、）前記センサと第２の対象の距離を検出する段階と、（前記センサにおいて、）前記距離を表す信号値を発生する段階と、（前記照明装置のコントローラにおいて、）前記センサからの前記信号値を受け取る段階と、を有する。本方法は、さらに、（前記信号値に基づき、少なくとも１つの制御信号を発生して、）アクセント照明装置のアクセント光特性と装飾照明装置の装飾光特性とを調節する段階を有する。アクセント照明装置は、少なくとも１つのアクセント発光デバイスを有し、第１の対象を照明するように構成される。装飾照明装置は、少なくとも１つの装飾発光デバイスを有し、第１の対象を背景照明するように構成される。
【００１７】
本発明の第４の態様は、  プログラム命令を含むコンピュータプログラムを格納したコンピュータ読み取り可能媒体を有するコンピュータプログラム製品であって、前記コンピュータプログラムは、データ処理ユニットにロードされ、前記データ処理ユニットにより実行されると、少なくとも以下のステップを実行することにより、第１の対象のプレゼンテーションのために、前記データ処理ユニットに、照明装置を制御させる：センサと第２の対象との間の距離を表す信号値を前記センサから受け取るステップと、（コントローラにおける、信号値に基づき少なくとも１つの制御信号の発生により、）アクセント照明装置のアクセント光特性と装飾照明装置の装飾光特性を調節するステップ。アクセント照明装置は、少なくとも１つのアクセント発光デバイスを有し、第１の対象を照明するように構成される。装飾照明装置は、少なくとも１つの装飾発光デバイスを有し、第１の対象を背景照明するように構成される。
【００１８】
ある実施形態では、本発明の第２、第３、第４の態様は、本発明の第１の態様について上で説明したさまざまな特徴のいずれかと同じ、または対応する特徴を有してもよい。
【００１９】
本発明のその他の実施形態は従属項に規定した。
【００２０】
本発明のある実施形態の１つの利点は、製品プレゼンテーションの照明パラメータを、製品ディスプレイのビュアーに対する距離に基づき調整できることである。
【００２１】
本発明のある実施形態の他の１つの利点は、アクセント照明と装飾照明の両方を、製品ディスプレイのビュアーに対する距離に基づき調整できることである。
【００２２】
本発明のある実施形態のさらに別の利点は、製品ディスプレイのビュアーが複数いるとき、製品プレゼンテーションの照明パラメータを、製品ディスプレイに最も近いビュアーの距離に基づき、調節できることである。
【００２３】
本発明のある実施形態の他の一利点は、遠いビュアーに適した照明パラメータ設定と、近いビュアーに適した照明パラメータ設定との間で、スムーズな移行が可能であることである。
【００２４】
本発明のある実施形態の他の利点は、製品ディスプレイのプレゼンテーションスタイルを素早く、自動的に変更できる点にある。
【００２５】
本発明の上記その他の態様を、以下に説明する実施形態を参照して明らかにし、説明する。
【図面の簡単な説明】
【００２６】
本発明による上記その他の態様、特徴、利点は、添付した図面を参照して、本発明の実施形態に関する以下の説明により明らかになり、説明される。
【図１】本発明の実施形態による照明装置を有する製品ディスプレイと、そのディスプレイを見る人を示す図である。
【図２】本発明の実施形態による照明装置の異なる２つの設定を示す図である。
【図３】本発明の実施形態による照明装置の異なる２つの設定を示す図である。
【図４】本発明の実施形態による照明装置を示すブロック図である。
【図５Ａ】本発明の実施形態による方法ステップを示すフローチャートである。
【図５Ｂ】本発明の実施形態による方法ステップを示すフローチャートである。
【図５Ｃ】本発明の実施形態による方法ステップを示すフローチャートである。
【図５Ｄ】本発明の実施形態による方法ステップを示すフローチャートである。
【図６】本発明の実施形態により適用される関数を示すグラフである。
【発明を実施するための形態】
【００２７】
本技術分野の当業者が本発明を実施できるように、添付した図面を参照しつつ本発明の実施形態を詳細に説明する。しかし、本発明は、多数の異なる形式で実施でき、ここに開示した実施形態だけに限定されると解釈してはならない。むしろ、これらの実施形態は、この開示が完全であり、当業者に本発明の範囲を完全に伝えるように提供するものである。実施形態は本発明を限定するものではなく、本発明は添付した特許請求の範囲によってのみ限定される。さらに、添付した図面に示した実施形態の詳細な説明で用いる用語は、本発明を限定するものではない。
【００２８】
（店舗やウィンドウなどで）広告その他の目的で製品をディスプレイするとき、ディスプレイを、見る人の近さなどの様々な状況に合わせるとよい。例えば、ファッション小売店は、製品ディスプレイから遠くても潜在的購入者を引きつけ（これは、例えば目立つ装飾効果や好奇心を引き立てるミステリアスな照明を用いることにより、ディスプレイを周囲から際だたせることにより実現できる）、潜在的購入者がディスプレイに近いときには実物以上によく見せたりリアルに見せたりする（これは、例えば、目立つ装飾効果は施さず、昼間光に近い照明を使うことにより実現できる）ように、製品やアクセサリを展示したがる。このような製品の展示における異なる方法を展示スタイルと呼ぶ。
【００２９】
以下、（例えば、様々なパラメータの形式の）アクセント照明アセンブリと装飾照明アセンブリの照明特性を、センサと対象との間の距離に応じて合わせる本発明の実施形態を説明する。
【００３０】
（インスタントカラーディスプレイ（ＩＣＤ）の形態などである）かかる照明装置は、立方体形状でも、製品が前にあるシェルフやバックウォールなどの製品ディスプレイの一部であってもよい。
【００３１】
アクセント照明は、製品に光をあてる照明であり、製品に向ける光源によりその特徴が決まる。実施形態によっては、アクセント照明は、製品をその周囲に対して高いコントラストで見せるように、特定方向から光をあてることにより、ディスプレイされる製品を展示する。アクセント照明装置は、例えば、ＬＥＤ（発光ダイオード）、ハロゲン、蛍光灯、白熱灯などのランプを用いた、スポットライトその他の発光体を含む少なくとも１つの発光デバイスを有する。ランプやスポットライトを、カラーフィルタやパターンフィルタと組み合わせて用いてもよい。実施形態では、暗くでき、または容易に色を変えられるＬＥＤ照明などの光源を用いるのが好ましい。
【００３２】
装飾照明は製品の背景照明（すなわち、製品の周り、背後、またはその近くの照明）をするように構成された照明であり、主に製品に光をあてるのではなく、製品の周囲に光を当てる光源という特徴を有する。強調しておくが、背景照明には、例えば、床や添乗などの水平面の照明及び／または壁などの垂直面の照明など、製品ディスプレイの任意の面の照明が含まれる（がこれらに限定されない）。装飾照明装置は少なくとも１つの発光デバイスを含み、これには、例えば、ＬＥＤディスプレイ、ＬＥＤパネル、画素状ＬＥＤパネル、スポットライト、ランプ、（棚などの製品ディスプレイの面などにある）一体型光ガイド、プラズマスクリーン、ＬＣＤスクリーン、３Ｄディスプレイ、またはＬＣＤプロジェクションなどの電子ディスプレイが含まれる。カラー照明は、ＬＥＤパネルを後の壁やその他の面として用い、または、ＲＧＢ（赤／緑／青）の照明エレメントで後の壁やその他の面を「ウォールウォッシング（wall-washing）」することにより、製品の背後またはその近くで行われる。装飾照明は、（製品の上などに）後光を生じさせる光源を含む。ランプとスポットライトは、カラーフィルタ、パターンフィルタ、及び／またはディスプレイの表面の、より長持ちするカラー／パターン装飾（ペイントやファブリックなど）と組み合わせて用いてもよい。
【００３３】
光の特性には、光の強さ、光の方向、光の広がり角度（すなわちビームアングル）、光のカラー／ヒュー（すなわち波長成分）、サチュレーション、光のパターン（例えばＬＥＤディスプレイなどのカラーパターン）、照明面積、及び／または光のダイナミクス（例えば、背景パターンにどのくらい動きがあるか、周期的に変化する色を用いたときに、どのくらい頻繁にアクセントの照明色がアトラクションモード（ディスタントビュアーモード）に変化するか）を含むが、これらに限定されない。
【００３４】
典型的な可変アクセント光の特性にはつぎのものが含まれる：光の方向（例えば、製品に対して異なる方向を有する複数のアクセント照明スポットライトを用いることにより、実現する変化）、ヒュー、（例えば、ＲＧＢ  ＬＥＤスポットライトを用いることによる）サチュレーション、（例えば、ピクセル状ＬＥＤスポットライト、すなわち個別に制御できる複数のＬＥＤを有するスポットライトを用いることによる）パターン、（光源の前の液晶セルを用いて、及び／または時間の関数としてその他の任意のパラメータを調整することによる）ダイナミクス。
【００３５】
典型的な可変装飾光の特性には次のものが含まれる：ヒュー、サチュレーション、強さ、パターン（例えば、ピクセル状ＬＥＤパネルに示されるパターンその他の画像）、（例えば、時間の関数としてその他の任意のパラメータを調整することによる）ダイナミクスのレベル。
【００３６】
ある実施形態では、各光源は個別に制御できる。ある実施形態では、光源の一部をオフにすることもある。
【００３７】
対象（例えば製品ディスプレイを見る人）との距離を検出するように構成された１つ以上のセンサがあってもよい。各センサは検出した距離を表す信号を発生し、それぞれの信号はコントローラに送られる。
【００３８】
コントローラは、アクセント照明装置と装飾照明装置の光特性を、受け取った信号に応じて調節する。このため、コントローラは制御信号を発生し、これはアクセント照明装置と装飾照明装置の各エレメントに送られる。
【００３９】
ある実施形態では、複数のセンサがあってもよい。これらのセンサは異なる方向に向けられ、異なる方向から近づいてくる人（viewers）を検出してもよいし、（例えば、人がディスプレイに近づく方向は現実的に１つしかなければ）同じ方向に向けられてもよい。
【００４０】
複数のセンサがある場合、それぞれの距離を表す信号をどう用いるか、コントローラが決定しなければならない。ある実施形態では、コントローラは、最も近い距離を表す信号を用いて、照明特性を調節する。ある実施形態では、他の基準を用いてもよい。例えば、メジアン値や平均距離の値を用いてもよいし、ある最初距離閾値より遠い距離の間の最も近い距離を表す信号を用いてもよい。後者を用いると、センサがブロックされて照明装置が一定のプレゼンテーションモード（近距離ビュアーモード）になってしまうのを回避できる。
【００４１】
本発明のある実施形態では、センサは動きや温度の検出器を含む。例えば、かかるセンサは、（人間が放射する）赤外線放射の動きを検出するセンサであってもよい。ある実施形態では、対象の測定温度が人間の体温の範囲内にあるときにのみ、距離を表す信号を発生する。ある実施形態では、対象の動きを検出したときにのみ、距離を表す信号を発生する。ある実施形態では、対象の測定温度が人間の体温の範囲内にあり、対象の動きを検出したときにのみ、距離を表す信号を発生する。ある実施形態では、製品ディスプレイから一定距離内に人がいることを検出するように、センサを設定してもよい。このように、本発明のある実施形態では、製品ディスプレイの外観（アクセント照明と装飾照明の両方）はビュアー（viewer）とセンサとの間の距離に応じて決まる。ビュアーの距離が遠い時、外観は潜在的購入者の注意を引き、興味を持ち、近くに来るように設定される。ビュアーがディスプレイに近い時、製品が詳細に見え、購入するようにビュアーを引きつけるように外観が設定される。
【００４２】
照明モードの仕様例は以下の通りである。
アトラクションモード：
アクセント照明：
方向＝上向き
サチュレーション＝５０％
ダイナミクス＝中程度
光パターン＝組織的（例えば、ブロックパターンや光ドット）
装飾照明：サチュレーション＝１００％
ダイナミクスのレベル＝８０％
パターン＝なし
強さ＝８０％
プレゼンテーションモード：
アクセント照明：
方向＝下向き
サチュレーション＝３％
ダイナミクス＝０％
光パターン＝均一
装飾照明：
サチュレーション＝３０％
ダイナミクスのレベル＝０％
パターン＝なし
強さ＝５０％
【００４３】
照明設定は検出した距離に応じて徐々に調節できる。あるいは、距離の閾値に応じて異なる２つ以上のモードを画定してもよい。例えば、異なる２つのモードを画定できる。１つはビュアーがディスプレイから一定の距離（例えば、＞３ｍ）離れている場合であり、１つはビュアーがディスプレイに近づいた（例えば、＜３ｍ）場合である。この２つの代替的な場合を組み合わせてもよい（徐々に生じる変化と異なるモード）。かかる実施形態の一例として、ビュアーがディスプレイから一定距離（例えば、＞４ｍ）にいる時、アトラクションモードを用い、ビュアーがディスプレイに近づくと（例えば、＜２ｍ）、プレゼンテーションモードを用い、その間の距離の場合、アトラクションモードとプレゼンテーションモードの間を徐々に変化させる。
【００４４】
図１は、製品１５０のディスプレイと、そのディスプレイのビュアー１６０とを示す図である。製品ディスプレイは本発明の実施形態による照明装置を有する。照明装置はアクセント光源、すなわちスポットライト１３０ａ−ｅと、装飾光源として機能するＬＥＤディスプレイ１４０とを有する。照明装置は、製品ディスプレイの前に取り付けられた距離センサ１１０ａ−ｃと、センサ１１０ａ−ｃの向きとは異なる向きの距離センサ１１１とを有する。
【００４５】
現在、ビュアー１６０は製品ディスプレイからある距離１７０のところにいて、センサ１１０ａにより検出されている。そのため、センサ１１０ａは、距離１７０を表す信号を発生し、この信号はコントローラ（図示せず）に送られる。コントローラは、検出した距離に基づきアクセント照明と装飾照明のパラメータを調節することにより、この信号に反応する。コントローラは、例えば、スポットライト１３０ａ−ｅのヒューとサチュレーションとを調節し、ＬＥＤディスプレイ画像１４１のパターンとダイナミクスを変更する。
【００４６】
ある実施形態では、ビュアーが遠くにいる時には、アクセント照明モード（例えば、色つき光）を用いる。モードは、ビュアーの距離が小さくなるにつれて、徐々にプレゼンテーションモード（例えば白色光）に変わる。
【００４７】
ある実施形態では、ビュアーとの距離により照明面積の大きさを制御する。例えば、ビュアーが遠くにいるとき、製品の周りの大きな面積を装飾照明で照らし、ビュアーが近くにいるとき、製品の周りのフォーカスされた小さい面積を装飾照明で照らす。
【００４８】
ある実施形態では、ビュアーがディスプレイから遠いとき、ダイナミック及び／またはカラフルな照明効果を用いる。かかる実施形態では、ビュアーが近づいてくると、照明効果は邪魔にならない純粋照明モードになる。
【００４９】
図２Ａと図２Ｂは、本発明のある実施形態による照明装置の異なる２つの設定を示す図である。図２Ａと図２Ｂの照明装置を用いて製品２５０をディスプレイする。照明装置はアクセント光源、すなわちスポットライト２１０ａ−ｄと、装飾光源として機能するＬＥＤディスプレイ２４０とを有する。
【００５０】
図２Ａは、アトラクションモード設定の例を示す。このモードは、センサ（図示せず）からビュアーまでの検出距離が所定値より大きい時に用いる。この例のアトラクションモードでは、ＬＥＤディスプレイで実現した装飾照明が非常に強いサチュレーションした色になっている。アクセント照明は、図２Ａに示したように、下からの照明（すなわち、スポットライト２１０ｂ−ｄ）、またはスポットライト２１０ａと２１０ｃを用いる主に下からの照明を利用する（このモードでは、スポットライト２１０ａはスポットライト２１０ｃよりも強くない）。
【００５１】
図２Ｂは、プレゼンテーションモード設定の例を示す。このモードは、センサ（図示せず）からビュアーまでの検出距離が所定値（これは上記のアトラクションモードと同じでも異なってもよい）より小さい時に用いる。このプレゼンテーションモードの例では、装飾照明は、ＬＥＤディスプレイで実現され、例えば、アトラクションモードより弱い、サチュレーションが小さい照明を用いて、より繊細にしてもよい。アクセント照明は、図２Ｂに示すように、スポットライト２１０ａを用いて、上からの照明を利用してもよい。スポットライト２１０ａのビームアングルも大きくして、実際的なプレゼンテーションを行う。
【００５２】
スポットライトは、異なるモードでは異なる色のフィルタ（またはその他のカラリング効果）を用いてもよく、光の方向を変更してもよい（図２Ａと図２Ｂのスポットライト２１０ｂと２１０ｄの位置を参照）。
【００５３】
例えば、アトラクションモードでは、紫色のバッグを紫色の光で照らして、非常に際だたせ、遠くからでも輝いて見えるようにする。ビュアーが近くに来ると、アクセント照明は（例えば、昼間光にできるだけ近い）白色光に切り替わり、製品が自然な色で見えるようにする。アトラクションモードからプレゼンテーションモードへの移行は徐々に行ってもよい。例えば、アトラクションモードとプレゼンテーションモードの間のパラメータの変化は、ビュアーとの距離に比例するものであってもよい。
【００５４】
アトラクションモードでは、完全にサチュレーションした色をアクセント照明として用いてもよい。あるいは、黒体ラインに近い（が好ましくはライン上ではない）サチュレーション度が小さい色を用いて、ディスプレイ中の製品の印象をハイパーサチュレーションカラーにしてもよい。ＲＢＧカラーミキシングスポットライトの使用は、かかる実施形態を実現する一方法であろう。
【００５５】
装飾背景照明の色は、ディスプレイ中の製品の色とマッチさせる。かかる実施形態を実現するため、製品の色をセンサで測定してもよい。例えば、単色調和、相補色調和、またはその他のカラー調和規則を用いて、かかるマッチングで用いる複数の色を作ることができる。
【００５６】
図３Ａと図３Ｂは、本発明のある実施形態による照明装置の異なる２つの設定を示す図である。図３Ａと図３Ｂの照明装置を用いて製品３５０をディスプレイする。照明装置はアクセント光源（図示せず）、装飾光源として機能する、ＲＧＢ照明エレメントを有する後壁面３４０とを有する。
【００５７】
図３Ａは、アトラクションモード設定の例を示す。このモードは、センサ（図示せず）からビュアーまでの検出距離が所定値より大きい時に用いる。このアトラクションモードの例では、ＲＧＢ照明エレメント３４０により実現された装飾照明は、（場合によっては非常に強い色、パターン、及び／またはダイナミクスを用いて）製品３５０の周りの大きなエリア３４１を照明する。
【００５８】
図３Ｂは、プレゼンテーションモード設定の例を示す。このモードは、センサ（図示せず）からビュアーまでの検出距離が所定値（これは上記のアトラクションモードと同じでも異なってもよい）より小さい時に用いる。このプレゼンテーションモードの例では、ＲＧＢ照明エレメント３４０により実現された装飾照明は、（場合によっては、大きな明るさ、及び／または弱い色、パターン、及び／またはダイナミクスを用いて、または用いないで）製品３５０の周りの小さなエリア３４２を照明する。
【００５９】
再び、モード間の変化は徐々に行われ、ビュアーが近づくと装飾形状は徐々に小さくなる。
【００６０】
装飾照明は、ＲＧＢ照明エレメント３４０の替わりとして、各ＬＥＤが製品の背後のバックパネルとして個別に制御できるＬＥＤパネルを用いて実現できる。ある実施形態では、後壁は複数のＬＥＤパネルであって、１つが製品の後にあり、その他がその１つを取り囲むものよりなる。ある実施形態では、アトラクションモードでは全てのパネルをオンにして、一方、プレゼンテーションモードでは中央パネルのみをアクティブにする。
【００６１】
本発明のある実施形態では、アトラクションモードは、光効果（例えば、輝度、強さ、色、ヒュー、サチュレーション、照明エリアなど）を変化させて、及び／または面パネルの動的照明（例えば、色やパターンの変更）を用いて、生じさせる。複数の光源及び／または制御可能な指向性スポットライトを用いて、ディスプレイエリアにおいて光の効果を動かす。かかる実施形態では、プレゼンテーションモードでは、製品を純粋に照明し変化させない。
【００６２】
図４は、本発明の実施形態による照明装置４００を示すブロック図である。照明装置４００は、１つ以上の距離センサ４１０ａ−ｎと、コントローラ４２０と、１つ以上のアクセント光源４３０ａ−ｋを有するアクセント照明装置と、１つ以上の装飾光源４４０ａ−ｍを有する装飾照明装置とを有する。
【００６３】
センサ４１０ａ−ｎは、それぞれのセンサから対象（例えば、ビュアーなど）までの距離を検出（測定）するように構成されている。各センサは検出した距離を表す信号を発生し、その信号はコントローラ４２０に送られる。センサはかかる信号を連続的に発生しても、一定間隔で発生しても、距離の変化を検出した時に発生してもよい。
【００６４】
コントローラ４２０は、センサが発生した信号を受け取り、その信号値に基づき、アクセント照明装置の少なくとも１つの光特性と、装飾照明装置の少なくとも１つの光特性とを調節する。調節（adaptation）は１つ以上の制御信号の発生により行う。制御信号は１つ以上の光源及び／または１つ以上の光特性を制御できる。
【００６５】
コントローラ４２０は、受け取った信号を調べ、アクセント照明と装飾照明のどのモード（例えば、アトラクションモードかプレゼンテーションモードか）を使うべきか決定する。ある実施形態では、コントローラは、場合によって、予め決められた特定のモードを使わずに、（例えば、距離の関数として、一方のモードから他方のモードに徐々に変化する）２つのモードの間を移行する設定を使うと決定してもよい。
【００６６】
照明装置４００は、例えば、図５Ａないし図５Ｄを参照して説明する方法ステップを実行し、コントローラは、例えば、図６Ａないし図６Ｄを参照して説明する意向機能を用いる。
【００６７】
図５Ａないし図５Ｄは、本発明の実施形態による方法ステップを示すフローチャートである。
【００６８】
図５Ａは、本発明のある実施形態による方法５００を示す。方法５００は、距離センサが１つの照明装置に適用可能である。ステップ５１０において、センサが対象（例えばビュアー）とセンサとの間の距離を検出する。センサは、ステップ５２０において、検出した距離を表す信号を発生する。前述の通り、かかる信号は、連続的に発生しても、一定間隔で発生しても、距離の変化を検出した時に発生してもよい。生成した信号はコントローラに送られ、コントローラはステップ５３０においてその信号を受け取る。ステップ５５０において、受け取った信号に応じて１つ以上の制御信号を発生する。この１つ以上の制御信号は、連続的に発生しても、一定間隔で発生しても、照明特性のパラメータを変更したいときに発生してもよい。ステップ５６０において、この１つ以上の制御信号を用いて、アクセント照明装置と装飾照明装置の光特性を調節する。
【００６９】
図５Ｂは、本発明のある実施形態による方法５００′を示す。方法５００′は、複数の距離センサを有する照明装置に適用可能である。ステップ５１０′において、各センサが対象とそのセンサとの間の距離を検出する。留意点として、各センサが距離を検出する対象は、同じ対象であってもよいし、一部または全部のセンサで異なる対象（例えば、異なるビュアー）でもよい。各センサは、ステップ５２０′において、検出した距離を表す信号を発生する。信号は、連続的に発生しても、一定間隔で発生しても、距離の変化を検出した時に発生してもよい。生成した信号はコントローラに送られ、コントローラはステップ５３０′においてその信号を受け取る。ステップ５４０′において、コントローラは、どの信号が最も小さい距離を表すか決定し、照明装置の処理に用いるため、この信号を選択する。上記の通り、これに替わる他の基準を用いて、信号を選択し、照明装置の処理に用いる信号の組み合わせを決定してもよい。ステップ５５０′において、コントローラが、選択した信号（または信号の組み合わせ）に応じて１つ以上の制御信号を発生する。この１つ以上の制御信号は、連続的に発生しても、一定間隔で発生しても、照明特性のパラメータを変更したいときに発生してもよい。ステップ５６０′において、この１つ以上の制御信号を用いて、アクセント照明装置と装飾照明装置の光特性を調節する。
【００７０】
図５Ｃは、１つ以上の信号を発生するときに、方法ステップ５５０または５５０′の一部として実行される方法サブステップを示す。サブステップ５５１において、（選択された）距離を表す信号の値を閾値ｔと比較する。信号値が閾値より大きいと（サブステップ５５１から出るＹＥＳの枝）、サブステップ５５２に示したように、照明特性として第１のパラメータ設定（例えば、アトラクションモードを生じる設定）を用いる。信号値が閾値より大きくないと（サブステップ５５１から出るＮＯの枝）、サブステップ５５３に示したように、照明特性として第２のパラメータ設定（例えば、プレゼンテーションモードを生じる設定）を用いる。
【００７１】
ある実施形態では、２つ以上のモード（および、その結果として、３つ以上の設定と、２つ以上の閾値）を適用してもよい。
【００７２】
図５Ｄも、１つ以上の信号を発生するときに、方法ステップ５５０または５５０′の一部として実行される方法サブステップを示す。この実施形態では２つの閾値、２つのモード設定、及び移行機能を用いる。サブステップ５５４において、（選択された）距離を表す信号の値を第１の閾値ｔ１と比較する。信号値が第１の閾値より大きくないと（サブステップ５５４から出るＮＯの枝）、サブステップ５５５に示したように、照明特性として第１のパラメータ設定（例えば、プレゼンテーションモードを生じる設定）を用いる。信号値が第１の閾値より大きいと（サブステップ５５４から出るＹＥＳの枝）、サブステップ５５６において、（選択した）距離を表す信号の値を第２の閾値ｔ２と比較する。信号値が第２の閾値より大きいと（サブステップ５５６から出るＹＥＳの枝）、サブステップ５５７に示したように、照明特性として第２のパラメータ設定（例えば、アトラクションモードを生じる設定）を用いる。信号値が第２の閾値より大きくないと（サブステップ５５６から出るＮＯの枝）、サブステップ５５８に示したように、照明特性として第３のパラメータ設定を用いる。第３のパラメータ設定は、第１と第２の設定の間の移行をする、距離の関数として決められている。移行関数はすべての照明特性パラメータに対して同じであってもよいし、パラメータによって移行関数がことなってもよい。図５Ｄの方法に適した移行関数例を図６Ａと図６Ｂに示す。
【００７３】
図６Ａないし図６Ｄは、本発明の実施形態による移行関数の例を示すグラフである。Ｘ軸は信号値を表す（選択された）距離を表し、その上に閾値を示した。
【００７４】
図６Ａは、信号値の関数として光源のサチュレーション値を示す。信号値が（ビュアーに対する小さい距離を表す）第１の閾値より小さいとき、サチュレーションは比較的低い値ｆ１に設定される。信号値が（ビュアーに対する大きい距離を表す）第２の閾値より大きいとき、サチュレーションは比較的高い値ｆ２に設定される。信号値が第１と第２の閾値の間にあるとき、サチュレーションは点（ｔ１，ｆ１）と点（ｔ１，ｆ１）を通る直線（アフィン）移行関数に従う。
【００７５】
図６Ｂは、信号値の関数として光源の強さを示す。信号値が第１の閾値より小さいとき、強さは比較的高い値ｆ１に設定される。信号値が第２の閾値より大きいとき、強さは比較的低い値ｆ２に設定される。信号値が第１と第２の閾値の間にあるとき、強さは、点（ｔ１，ｆ１）と点（ｔ１，ｆ１）で微分係数がゼロである移行関数（例えば、多項式関数）に従う。
【００７６】
図６Ｃは、信号値の関数として光源の照明方向値を示す。この実施形態では、第１の閾値はゼロに設定されている。そのため、この実施形態ではプレゼンテーションモード設定は無く、図５Ｄのサブステップ５５４の比較は適用しない。信号値が第２の閾値より大きいとき、照明方向はｆ２（例えば、光源は直接的に製品に向かう）に設定される。信号値がゼロと第２の閾値の間にあるとき、照明方向は、点（ｔ２，ｆ２）で微分係数がゼロであり点（ｔ１，ｆ１）を通る移行関数（例えば、多項式関数）に従う。
【００７７】
図６Ｄは、信号値の関数として光源のビーム角度値を示す。この実施形態には３つの閾値と３つのモードがある。信号値が（ビュアーに対する小さい距離を表す）第１の閾値より小さいとき、角度は比較的低い値ｆ１に設定される。信号値が第１の閾値と第２の閾値の間にあるとき、角度は少し高い値ｆ２に設定される。信号値が（ビュアーに対する大きい距離を表す）第３の閾値より大きいとき、角度は比較的高い値ｆ３に設定される。信号値が第２と第３の閾値の間にあるとき、角度は点（ｔ２，ｆ２）と点（ｔ３，ｆ３）を通る直線（アフィン）移行関数をたどる。留意点として、この実施形態では、第１と第２のモード間で急激な移行をするが、第２と第３のモード間では除除に移行する。
【００７８】
言うまでもなく、図６Ａないし図６Ｄに示した移行関数、設定、及び閾値は単なる例であり、本発明の異なる実施形態では多くの変形が可能である。例えば、ある実施形態では、予め決められたモードは無く、閾値も無い（または第１の閾値がゼロであり、第２の閾値が無限大である）が、移行関数だけあってもよい（例えば、平方根関数、対数関数、指数関数、または多項式関数）。
【００７９】
ある閾値において２つのモードを瞬間的に切り替えれば、単純であるとの利点がある。しかし、場合によっては、そのような実施形態はビュアーにとって不快なこともある。特に、ビュアーが繰り返し閾値とクロスしている場合にはそうである。
【００８０】
２つのモードの間を徐々に移行する移行関数はちらつきが少ないという長所を有する。しかし、線形補間（すなわち、アフィン移行関数）はある実施形態では不利になる。すなわち、（国際照明委員会により１９３１年に作成された）ＣＩＥ１９３１ｘｙ色空間で隔たった２つのサチュレーションしたヒュー値の間で線形補間をすると、検出距離が短くなると多くの中間色を用いることになり、不快になることがある。線形補間の替わりに、まずヒューを一定に保ちつつサチュレーションを減少させ、次にヒューを変化させ、最後にヒューを一定に保ちつつサチュレーションを増加させる（国際出願公開第２００８／０６８７１３  Ａ２も参照）。（例えば、等距離と知覚される離散的ステップを示す、国際出願公開第２００８／０６８７１３  Ａ２参照）ヒュー値、サチュレーション値、及び明度値の離散的テーブルを用いてこのアプローチを用いると、使用するテーブルのサンプルは、検出した距離に線形従属するように選択される。
【００８１】
コントローラ（またはコントローラに付随する他の計算ユニット）が２つのモードに対して指定された照明設定間の線形補間またはその他の移行関数を計算する実施形態では、照明装置のユーザ（例えば、照明デザイナー、ショップ経験のあるデザイナー、ビジュアルマーチャンダイザー、またはショップマネージャ）が２つのモードの照明パラメータ設定を指定するのみで、徐々に変化させることが可能である。他の実施形態では、ユーザは、補間アルゴリズム（すなわち、移行関数）のタイプを指定する可能性がある。
【００８２】
ある実施形態では、照明装置は複数の予め決められた設定及び／または移行関数で事前にプログラムされており、ユーザは予め決められた設定と関数から選択できる。
【００８３】
ある実施形態では、リモートロケーション（例えば、リテールチェーンの本部にあるリモートサーバ）にある新しい設定を選択したりダウンロードしたりできる。
【００８４】
実施形態によっては、予め決められた設定／関数の選択／ダウンロードを可能にすると同時に、ユーザが自分の設定／関数を決めることができるようにする。
【００８５】
設定及び／または関数の選択／画定をできるようにするため、照明装置にはコントローラに付随してユーザインタフェースを設けてもよい。  設定及び／または関数のダウンロードをできるようにするため、照明装置にはコントローラに付随して通信インタフェースを設けてもよい。通信インタフェースはリモートロケーション（例えば、リモートサーバ）への新しい設定／関数のアップロードも可能にする。
【００８６】
新しい設定／関数が画定されたときに較正をすると有利であり、予め決められた設定／関数を選択するときに微調整をできと有利である。
【００８７】
ある実施形態では、カラーレンダリングインデックスセンサを照明装置で用いてもよい。カラーレンダリングインデックスセンサは、光のスペクトルを測定し、（測定した値に基づき）光の色表現の質を表すカラーレンダリングインデックス値を計算する。例えば、昼間光（日光）のカラーレンダリングインデックスは最高であり、定義として、最も自然な色をレンダリングする。ある実施形態では、プレゼンテーションモードでは、製品の高品質な実際的なディスプレイを保護するため、高いカラーレンダリングインデックスが好ましい。これは、特にファッション関係の製品のディスプレイに適用できる。
【００８８】
本発明の実施形態を販売や広告の状況における製品ディスプレイを参照して説明したが、留意点として、本発明はかかる状況に限定されない。対照的に、実施形態はどんな製品／オブジェクトのプレゼンテーションにも用いることができる。他の製品プレゼンテーションの状況としては、（公的環境や家庭環境における）賞のディスプレイ、（公的環境や家庭環境における）絵画のディスプレイ、美術館における展示物のディスプレイなどが含まれる。また、留意点として、製品プレゼンテーションは単一の製品のプレゼンテーションに限定されず、複数の製品のプレゼンテーションも含む。
【００８９】
上記の本発明の実施形態とその等価物は、例えば、ソフトウェア、ハードウェア、またはそれらの組み合わせなど、任意の好適な形式で実現できる。これらは、デジタル信号プロセッサ（ＤＳＰ）、中央処理ユニット（ＣＰＵ）、コ・プロセッサユニット、フィールドプログラマブルゲートアレイ（ＦＰＧＡ）、その他のプログラマブルハードウェアなどの汎用回路で実行でき、特定目的集積回路（ＡＳＩＣ）などの専用回路でも実行できる。こうした形式はすべて本発明の範囲内に入る。
【００９０】
本発明は、任意の実施形態による回路／ロジックを有する、または方法を実行する装置内で実施できる。
【００９１】
本発明のある実施形態では、コンピュータプログラム製品は、ディスケットやＣＤ−ＲＯＭなどのコンピュータ読み取り可能媒体を有する。コンピュータ読み取り可能媒体はプログラム命令を含むコンピュータプログラムを格納している。コンピュータプログラムはデータ処理ユニットにロードされる。データ処理ユニットは例えばコントローラに含まれる。データ処理ユニットにロードされると、コンピュータプログラムは、データ処理ユニットに付随する、または組み込まれたメモリに格納される。ある実施形態では、コンピュータプログラムは、データ処理ユニットにロードされ実行されると、データ処理ユニットに、例えば、図５Ａないし図５Ｄのいずれかに示した方法による方法ステップを実行させる。
【００９２】
本発明を様々な実施形態を参照して説明した。しかし、当業者には、本発明の範囲に入る、説明した実施形態の多くの変形例が分かるであろう。例えば、ここに説明した方法の実施形態は、一定の順序で実行される方法ステップにより、方法の例を説明している。しかし、言うまでもなく、本発明の範囲から逸脱することなく、これらのイベントの順序を変えてもよい。さらに、ある方法ステップは、順次実行されるように説明したが、並行して実行してもよい。
【００９３】
同様に、留意点として、本発明の実施形態の説明において、機能ブロックの複数ユニットへの分割は、決して本発明を限定するものではない。逆に、これらの分割は単なる例である。ここに一ユニットとして説明した機能ブロックは、２つ以上のユニットに分けてもよい。同様に、２つ以上のユニットとして実施されるとここに説明した機能ブロックは、本発明の範囲から逸脱することなく、単一のユニットとして実施してもよい。個別的に列挙されていても、複数の手段、要素、方法ステップは、例えば単一のユニットまたはプロセッサにより実施してもよい。
【００９４】
本発明の実施形態の構成要素は、いかなる好適な方法で物理的、機能的、論理的に実施してもよい。機能は単一のユニット、複数のユニット、または他の機能ユニットの一部として実施することもできる。このように、本発明は、単一ユニットで実施することもできるし、異なる複数のユニットやプロセッサに物理的かつ機能的に分散して実施することもできる。
【００９５】
このように、具体的な実施形態を参照して本発明を説明したが、言うまでもなく、説明した実施形態の限定は単に説明を目的としたものであって、決して限定するものではない。それどころか、本発明の範囲は、明細書ではなく添付した特許請求の範囲により画定され、特許請求の範囲に入る変形はすべてこれに含まれる。したがって、上記の実施形態以外の実施形態も、場合によっては同様に、添付した特許請求の範囲内にある。
【００９６】
強調しておくが、「有する」との用語は、本明細書と特許請求の範囲で用いるとき、記載した特徴、整数、ステップ、コンポーネントがあることを示し、その他の特徴、整数、ステップ、コンポーネント、またはこれらのグループがあることを排除するものではない。
【００９７】
個々の特徴は異なる請求項に含まれていても、これらを有利に組み合わせることが可能であり、異なる請求項に含まれていても、特徴を組み合わせられないとか、組み合わせても有利ではないということを示唆するものでもない。また、単数扱いをしても複数の場合を排除するものではない。よって、「１つの」、「第１の」、「第２の」等は複数の場合を排除するものではない。請求項中の参照符号は、明りょうにするために設けており、請求項の範囲を限定するものと解してはならない。
【図１】
0006045343.tif 000002
【図２Ａ】
0006045343.tif 000003
【図２Ｂ】
0006045343.tif 000004
【図３Ａ】
0006045343.tif 000005
【図３Ｂ】
0006045343.tif 000006
【図４】
0006045343.tif 000007
【図５Ａ】
0006045343.tif 000008
【図５Ｂ】
0006045343.tif 000009
【図５Ｃ】
0006045343.tif 000010
【図５Ｄ】
0006045343.tif 000011
【図６Ａ】
0006045343.tif 000012
【図６Ｂ】
0006045343.tif 000013
【図６Ｃ】
0006045343.tif 000014
【図６Ｄ】
0006045343.tif 000015